(57)【要約】【課題】機能性に富み、且つ、バリエーション展開を簡単に行うことができ、また遊具等の立体構造物を安定して構築することができるデッキ構造を提供する。【解決手段】このデッキ構造は、基盤１上に、建物の基準モジュールに対応させた複数の支持台２・・を並設するとともに、これら支持台２・・上に、建物の基準モジュールに対応させた一般床ユニット３、植栽用ユニット４、芝生植え込み用ユニット５、砂場用ユニット６、水場用ユニット７を取り外し可能に載置して、これらユニット３〜７を互いに配置換え可能としている。また、支持台２・・に取付金具６１・・を介して取り付けた構造物構築用支柱６０・・を、ユニット３〜７の角部が集まる箇所に対応して立設している。【選択図】図１
2009167622.tif 000002
【特許請求の範囲】
【請求項１】
建物やその外構に設けられるデッキ構造であって、基盤（１）上に、建物の基準モジュールに対応させた平面外形寸法を有する平面視方形状の複数の支持台（２）・・を並設するとともに、これら支持台（２）・・上に、同じく建物の基準モジュールに対応させた平面外形寸法を有する平面視方形状の複数のデッキ構成部材（３）〜（７）を並設してなり、前記デッキ構成部材（３）〜（７）は、前記支持台（２）・・上に取り外し可能に載置した一般床ユニット（３）・・と、同じく前記支持台（２）・・上に取り外し可能に載置した機能ユニット（４）〜（７）とからなり、これら一般床ユニット（３）・・及び機能ユニット（４）〜（７）を互いに配置換え可能としたことを特徴とするデッキ構造。
【請求項２】
前記機能ユニット（４）〜（７）として、植栽用ユニット（４）、芝生植え込み用ユニット（５）、砂場用ユニット（６）、水場用ユニット（７）を備えた請求項１記載のデッキ構造。
【請求項３】
方形枠状に形成した前記支持台（２）・・を、複数の束材（９）・・を介して基盤（１）上に並設して、前記支持台（２）・・と基盤（１）との間に配管や配線用の空間（１０）を形成した請求項１又は２記載のデッキ構造。
【請求項４】
前記支持台（２）・・に取付金具（６１）・・を介して取り付けた構造物構築用支柱（６０）・・を、前記デッキ構成部材（３）〜（７）の角部が集まる箇所に対応して立設した請求項１乃至３のいずれかに記載のデッキ構造。
【請求項５】
前記取付金具（６１）は、前記構造物構築用支柱（６０）の下端部を前記基盤（１）から浮かした状態で保持する保持部（６２）を備えた請求項４記載のデッキ構造。
【発明の詳細な説明】
【技術分野】
【０００１】
この発明は、例えば建物の屋上やバルコニー、建物の外構等に設けられるデッキ構造に関する。
【背景技術】
【０００２】
一般に、建物の屋上やバルコニー、建物の外構等に木製デッキを設置して、このような木製デッキ上にテーブルや椅子、観葉植物等を設けることで、デッキ部分をくつろぎ空間として利用することが行われている。
【０００３】
ところが、従来のデッキにおいては、一旦設置すると部分的な改変が困難な構造となっていて、単なる床としての機能を有しているだけの画一的且つ固定的なものが多かった。
【０００４】
そこで、近年では、機能性に富み、且つ、バリエーション展開が可能なデッキが提案されている（例えば、特許文献１及び特許文献２参照）。特許文献１に開示されているデッキは、浴槽やプール、砂場、収納庫となる槽体を要所要所に備えた支持台上に、複数のデッキパネルを取り外し可能に並設した構造となっている。そして、既設の槽体を支持台の別の場所に付け替えたり、既設の槽体を支持台から取り外したり、新たに用意した槽体を支持台に追加して取り付けることで、機能部分の配置換えや増減を可能として、バリエーション展開を図ることができるようになっている。
【０００５】
また、特許文献２に開示されているデッキは、支持台上にデッキパネルを一体的に取り付けた単位木製デッキと、収納庫を備えた支持台上に蓋兼用デッキパネルを取り外し可能に取り付けた収納庫付き単位木製デッキと、植木用プランタや掘池用コンテナとなる箱庭構成部材を備えた支持台上にデッキ枠を取り付けた箱庭構成用単位木製デッキとを並設した構造となっている。そして、各単位木製デッキの配置場所や個数を変更することで、機能部分の配置換えや増減を可能として、バリエーション展開を図ることができるようになっている。
【０００６】
【特許文献１】特開２００４−１６９２８４号公報
【特許文献２】特開２００１−２６９７９号公報
【発明の開示】
【発明が解決しようとする課題】
【０００７】
しかしながら、上記の特許文献１に開示されているデッキでは、機能部分の配置換えや増減に際して、デッキパネルの着脱作業に加えて、支持台に対する槽体の着脱作業が必要となり、また特許文献２に開示されているデッキでは、機能部分の配置換えや増減に際して、重厚な単位木製デッキの移設作業が必要となることから、バリエーション展開において面倒な作業を強いられるといった不具合があった。
【０００８】
また、デッキ上に遊具等の立体構造物を設置して、子供の遊び場として利用することがあるが、特許文献１及び特許文献２に開示されているデッキでは、デッキパネル上に立体構造物を載置するだけであるから、立体構造物の取付強度が十分でなく、安全性に問題があった。
【０００９】
この発明は、上記の不具合を解消して、機能性に富み、且つ、バリエーション展開を簡単に行うことができ、また遊具等の立体構造物を安定して構築することができるデッキ構造を提供することを目的とする。
【課題を解決するための手段】
【００１０】
上記課題を解決するため、この発明のデッキ構造は、建物やその外構に設けられるものであって、基盤１上に、建物の基準モジュールに対応させた平面外形寸法を有する平面視方形状の複数の支持台２・・を並設するとともに、これら支持台２・・上に、同じく建物の基準モジュールに対応させた平面外形寸法を有する平面視方形状の複数のデッキ構成部材３〜７を並設してなり、前記デッキ構成部材３〜７は、前記支持台２・・上に取り外し可能に載置した一般床ユニット３・・と、同じく前記支持台２・・上に取り外し可能に載置した機能ユニット４〜７とからなり、これら一般床ユニット３・・及び機能ユニット４〜７を互いに配置換え可能としたことを特徴とする。
【００１１】
具体的に、前記機能ユニット４〜７として、植栽用ユニット４、芝生植え込み用ユニット５、砂場用ユニット６、水場用ユニット７を備えている。
【００１２】
また、方形枠状に形成した前記支持台２・・を、複数の束材９・・を介して基盤１上に並設して、前記支持台２・・と基盤１との間に配管や配線用の空間１０を形成している。
【００１３】
さらに、前記支持台２・・に取付金具６１・・を介して取り付けた構造物構築用支柱６０・・を、前記デッキ構成部材３〜７の角部が集まる箇所に対応して立設している。
【００１４】
また、前記取付金具６１は、前記構造物構築用支柱６０の下端部を前記基盤１から浮かした状態で保持する保持部６２を備えている。
【発明の効果】
【００１５】
この発明のデッキ構造においては、支持台上に取り外し可能に載置されるデッキ構成部材側において各種機能を集約させているので、これらデッキ構成部材すなわち一般床ユニットや機能ユニットの配置場所を入れ換えたり、個数を変更するだけで、従来のような面倒な作業を強いられることなく、機能部分の配置換えや増減を可能にして、バリエーション展開を簡単に行うことができる。
【００１６】
しかも、支持台及びデッキ構成部材の平面外形寸法を、建物の基準モジュールに対応させているので、これらを並設してなるデッキを、建物の基準モジュールに合わせて簡単に設計及び施工することができる。
【００１７】
また、方形枠状の支持台と基盤との間に配管や配線用の空間を確保することで、例えば機能ユニットとして水周り設備や電気設備を備えたユニットを用いた場合、その水周り設備や電気設備に接続した配管や配線を、上記の空間を利用して外部から見えないように引き回すことができる。
【００１８】
さらに、支持台に取付金具を介して取り付けた構造物構築用支柱を利用して、子供用遊具等の立体構造物を構築することができるので、バリエーションをさらに増やすことができ、しかも単にデッキ上に載置しただけのものと比べて、取付強度を高めて、立体構造物を安定して構築することができる。加えて、構造物構築用支柱は、デッキ構成部材の角部が集まる箇所に対応して立設されているので、支柱間の間隔は建物の基準モジュールに対応することになり、これら支柱を軸材として構築される立体構造物を、建物の基準モジュールに合わせて簡単に設計及び施工することができる。さらにまた、取付金具によって、構造物構築用支柱の下端部を基盤から浮かした状態で保持することで、基盤側に支柱の荷重を支えるための特別な部材を設ける必要がなく、また支柱によって基盤が損傷するといった不具合もなくすことができる。
【発明を実施するための最良の形態】
【００１９】
以下、この発明の実施形態を図面に基づいて詳細に説明する。この発明の一実施形態に係るデッキ構造は、図１に示すように、建物の屋上やバルコニー、テラス等の床である基盤１上に、複数の支持台２・・を並設するとともに、これら支持台２・・上に複数のデッキ構成部材３〜７を並設してなる。
【００２０】
支持台２・・は、建物の基準モジュール(例えば、約９０ｃｍ)に対応させた平面外形寸法を有する平面視方形状に夫々形成されている。具体的に、支持台２・・は、図２及び図３に示すように、平面外形寸法が例えば約９０×９０ｃｍの平面視方形枠状に夫々形成され、複数の束材９・・を介して同一高さレベルに保持された状態で、基盤１上に格子状に並設されている。そして、これら支持台２・・と基盤１との間には、配管や配線用の空間１０が確保されている。
【００２１】
デッキ構成部材３〜７は、支持台２・・と同様に、建物の基準モジュール(例えば、約９０ｃｍ)に対応させた平面外形寸法を有する平面視方形状に夫々形成されている。具体的に、デッキ構成部材３〜７は、平面外形寸法が例えば約９０×９０ｃｍの平面視略正方形状に夫々形成されている。このように、支持台２・・及びデッキ構成部材３〜７の平面外形寸法を、建物の基準モジュールに対応させることで、これらを並設してなるデッキを、建物の基準モジュールに合わせて簡単に設計及び施工することができる。
【００２２】
デッキ構成部材３〜７は、支持台２・・上に取り外し可能に載置した一般床ユニット３・・と、同じく支持台２・・上に取り外し可能に載置した機能ユニット４〜７からなり、これら一般床ユニット３・・同士、機能ユニット４〜７同士、及び、一般床ユニット３・・と機能ユニット４〜７は互いに配置換え可能となっている。
【００２３】
一般床ユニット３は、図４に示すように、防蟻防腐効果を有する複数の帯板３ａ・・を接合してなるデッキパネルから構成され、その下面周端部を支持台２上に載せることで、支持台２上に取り外し可能に載置されている。
【００２４】
機能ユニット４〜としては、植栽用ユニット４、芝生植え込み用ユニット５、砂場用ユニット６、水場用ユニット７が用意されている。
【００２５】
植栽用ユニット４は、図５に示すように、一般床ユニット３・・を構成するデッキパネルと同様のデッキパネル２０上に、植栽容器２１を一体的に取り付けることによって構成されている。植栽容器２１は、上面開放の箱形の収容体２２と、その収容体２２の上端部に取り付けた方形枠状のフランジ２３とからなり、収容体２２に土や植物を収容するようになっている。この植栽用ユニット４は、デッキパネル２０の下面周端部を支持台２上に載せることで、支持台２上に取り外し可能に載置されている。
【００２６】
芝生植え込み用ユニット５は、図６に示すように、上面開放の箱形の収容体３０と、その収容体３０の上端部に取り付けた方形枠状のフランジ３１とからなり、収容体３０に土や芝生を収容するようになっている。この芝生植え込み用ユニット５は、その収容体３０を支持台２の枠内に落とし込んで、フランジ３１の下面を支持台２上に載せることで、支持台２上に取り外し可能に載置されている。
【００２７】
砂場用ユニット６は、図７に示すように、上面開放の箱形の収容体４０と、その収容体４０の上面開口を開閉する平面視略正方形状の蓋部４１とからなり、収容体４０に砂を収容するようになっている。蓋部４１は、その一端部が図示しないヒンジを介して収容体４０の上端部に取り付けられており、収容体４０の上面開口を閉じた状態において、その上面の中央及び四隅に棒材４２・・が立設されている。この砂場用ユニット６は、その収容体４０の下面周端部を支持台２上に載せることで、支持台２上に取り外し可能に載置されている。このようにして設置された砂場用ユニット６においては、蓋部４１を開けたときには、図１に示すように、棒材４２・・が脚となって蓋部４１をベンチやテーブルとして利用することができ、蓋部４１を閉めたときには、図７に示すように、棒材４２が的棒となって輪投げとして利用することができるようになっている。
【００２８】
水場用ユニット７は、図８に示すように、排水口５０付きの水受け体５１と、この水受け体５１に立設された立水栓５２とからなる。この水場用ユニット７は、その水受け体５１の下面周端部を支持台２上に載せることで、支持台２上に取り外し可能に載置されている。なお、排水口５０に接続された排水管や立水栓５２に接続された給水管は、支持台２の枠内を通して、支持台２・・と基盤１との間の空間１０に引き回しされていて、外部からは見えないようになっている。
【００２９】
このようなデッキ構造では、その要所要所において構造物構築用支柱６０・・が立設可能となっている。具体的には、いくつかの支持台２・・に取付金具６１・・を介して着脱可能に取り付けた構造物構築用支柱６０・・を、図９に示すように、デッキ構成部材３〜７の角部が集まる箇所に対応して立設している。
【００３０】
取付金具６１は、図１０に示すように、有底筒状の保持部６２と、その保持部６２の側面から互いに直交する方向に張り出した断面略コ字状の一対の連結部６３、６３とからなる。そして、支持台２の角部を切り欠いた切欠部分に保持部６２を配置するとともに、支持台２の切欠部分を挟んだ枠材２ａ、２ａに対して連結部６３、６３を下側から被せて図示しないボルト等で固定することで、支持台２に取付金具６１が取り付けられている。そして、この取付金具６１の保持部６２に、構造物構築用支柱６０を上方から差し込むことで、構造物構築用支柱６０の下端部が基盤１から浮いた状態で保持されて、構造物構築用支柱６０が立設されるようになっている。このように、構造物構築用支柱６０を基盤１から浮かした状態で立設することで、基盤１側に構造物構築用支柱６０の荷重を支えるための特別な部材を設ける必要がなく、また構造物構築用支柱６０によって基盤１が損傷することもない。なお、取付金具６１の保持部６２の直上に位置するデッキ構成部材３〜７の角部は、図９に示すように、保持部６２に差し込まれた構造物構築用支柱６０を回避するように切り欠かれている。
【００３１】
このようにして立設された構造物構築用支柱６０・・を複数用いて、図１１に示すように、それら支柱６０・・間に横材６５・・を差し渡し、さらに縦材６６・・や床材６７、屋根６８、滑り台６９等を適宜組み付けることで、子供用遊具であるツリーハウス７０を構築することができるようになっている。この場合、支柱６０・・は、デッキ構成部材３〜７の角部が集まる箇所に対応して立設されているので、支柱６０・・間の間隔は建物の基準モジュールに対応することになり、これらを支柱６０・・を軸材として構築されるツリーハウス７０を、建物の基準モジュールに合わせて簡単に設計及び施工することができる。
【００３２】
また、単一の構造物構築用支柱６０を用いて、図１２に示すように、その支柱６０に複数の横棒７１・・を高さ方向に間隔をあけて取り付けることで、子供用遊具である登り棒７２を構築することができるようになっている。
【００３３】
上記構成のデッキ構造においては、支持台２・・上に載置されているデッキ構成部材３〜７側において各種機能を集約させているので、これらデッキ構成部材３〜７すなわち一般床ユニット３・・や機能ユニット４〜７の配置場所を入れ換えたり、個数を変更するだけで、支持台２・・側において特別な加工を施したり、専用の部材を用いることなく、機能部分の配置換えや増減が可能になっている。従って、従来のような面倒な作業を強いられることなく、バリエーション展開を簡単に行うことができ、居住者が求める様々な機能や用途を実現し、居住者のライフスタイルやライスステージの変化に柔軟に対応することができる。
【００３４】
また、要所要所において立設した構造物構築用支柱６０・・を利用して、ツリーハウス７０や登り棒７２等の子供用遊具を構築することができるので、バリエーションをさらに増やすことができる。しかも、子供用遊具は、支持台２・・に取付金具６１・・を介して取り付けた構造物構築用支柱６０・・を軸材として構築されているので、単にデッキ上に載置しただけのものと比べて、取付強度を高めて安全性に配慮することができる。
【００３５】
この発明は、上記実施形態に限定されるものではなく、この発明の範囲内で上記実施形態に多くの修正及び変更を加え得ることは勿論である。
【図面の簡単な説明】
【００３６】
【図１】この発明の一実施形態に係るデッキ構造の斜視図である。
【図２】支持台の設置状態を示す分解斜視図である。
【図３】支持台の設置状態を示す図である。
【図４】一般床ユニットの設置状態を示す分解斜視図である。
【図５】植栽用ユニットの設置状態を示す分解斜視図である。
【図６】芝生植え込み用ユニットの設置状態を示す分解斜視図である。
【図７】砂場用ユニットの設置状態を示す分解斜視図である。
【図８】水場用ユニットの設置状態を示す分解斜視図である。
【図９】構造物構築用支柱の立設状態を示す斜視図である。
【図１０】構造物構築用支柱の取付状態を示す分解斜視図である。
【図１１】ツリーハウスの斜視図である。
【図１２】登り棒の斜視図である。
【符号の説明】
【００３７】
１・・基盤、２・・支持台、３〜７・・デッキ構成部材、３・・一般床ユニット、４〜７・・機能ユニット、４・・植栽用ユニット、５・・芝生植え込み用ユニット、６・・砂場用ユニット、７・・水場用ユニット、９・・束材、１０・・空間、６０・・構造物構築用支柱、６１・・取付金具、６２・・保持部
【図１】
2009167622.tif 000003
【図２】
2009167622.tif 000004
【図３】
2009167622.tif 000005
【図４】
2009167622.tif 000006
【図５】
2009167622.tif 000007
【図６】
2009167622.tif 000008
【図７】
2009167622.tif 000009
【図８】
2009167622.tif 000010
【図９】
2009167622.tif 000011
【図１０】
2009167622.tif 000012
【図１１】
2009167622.tif 000013
【図１２】
2009167622.tif 000014